(57)【要約】      （修正有）【課題】複数個のダクトとうろこ状放熱板群を利用した冷熱交換を利用して、冷熱を分離させ、さらに効率的に熱量を散逸させるＬＥＤ照明ランプの改良構造を提供する。【解決手段】ＬＥＤ照明ランプの改良した構造は、ランプ基台３０内部にランプ制御装置４０を設け、前記ランプ制御装置４０の底面を上端接合ふた５０で固定し、上端接合ふた５０の底面に内部に少なくとも１つのダクト７０を嵌め込んだうろこ状放熱板群６０及び下端接合ふた８０を固定し、下端接合ふた８０の外周にトレー８５を内蔵するランプケース８６を螺接し、トレー８５の底面から複数のダクト７０に対向するＬＥＤランプ群を伸ばした。これにより、複数のＬＥＤランプ群に熱エネルギーが発生し、複数のダクト７０とうろこ状放熱板群６０の冷熱交換を通して熱を分離させ、効率的に放熱させる。【選択図】図３
0003148089.tif 000002
【実用新案登録請求の範囲】
【請求項１】
少なくとも
メインランプ基台と導電基台からなり、前記メインランプ基台の内部に収納スペースを設置するランプ基台と、
前記ランプ基台に固定されるランプ制御装置と、
前記メインランプ基台の前記収納スペースの下側に嵌め込み前記メインランプ基台の下側に固定され、その上端に内凹室を複数有する上端接合ふたと、
前記上端接合ふたの底部に固定され複数のうろこ状放熱板により放熱体を組合せるうろこ状放熱板群であって、中央部に複数凹穴と対向する複数の貫通孔を設置し、前記貫通孔の端末に嵌め込み孔を設置し、前記うろこ状放熱板群の底部に前記収納スペースを設置することと、
前記うろこ状放熱板群の底部収納スペースに固定されその内部に前記内凹室である下接合ふたであって、その上端に複数凹穴と対向する複数の通気孔を設置し、その外周囲は収納がトレーを有するランプケースと螺接することと、
前記うろこ状放熱板群の端末の前記下接合ふたの前記通気孔とその中央複数の貫通孔から穿設し、その一端の突起レバー部は前記上端接合ふたの前記凹穴に当接し他端に外部の傾斜板を折曲げられた複数のダクトと、
熱伝導ブロック、ＬＥＤランプ、基板からなり、複数の前記ダクトの外部傾斜板の底部に固定されトレーの底部から外へ突起し伸ばすＬＥＤランプ群を含むことを特徴とするＬＥＤ照明ランプの改良構造。
【請求項２】
前記下端接合ふたは円筒状でその上端に複数の通気孔を設置しその下端周囲に前記トレーを固定するための固定溝と対向する固定シリンダーを設置し、底部凹室の中央部に前記トレーを固定するための固定座を設置することを特徴とする請求項１に記載のＬＥＤ照明ランプの改良構造。
【請求項３】
複数の前記うろこ状放熱板の端末は鋭利部を設置し、各前記うろこ状放熱板の間に隙間を形成することを特徴とする請求項１に記載のＬＥＤ照明ランプの改良構造。
【請求項４】
前記ランプケースの内部は上端が中空状の収納室で前記トレーを収納するのに用いられ、前記ランプケースの外部は半透明で内部は平面鏡で光線を柔らかくし光線の拡散を防止することを特徴とする請求項１に記載のＬＥＤ照明ランプの改良構造。
【請求項５】
前記トレーは上端が中空状の円盤であり、縁端面に近い外縁箇所に複数の実体状或いは中空状のダクトと対向する溝孔を設置することを特徴とする請求項１に記載のＬＥＤ照明ランプの改良構造。
【請求項６】
前記ＬＥＤランプ群は少なくとも外部傾斜板底部に粘着される前記熱伝導ブロック、前記熱伝導ブロック底部に設置される前記ＬＥＤランプ、前記ダクトと接続し合う前記基板を含み、前記基板は配線を有する印刷回路基板であり、その上端に前記ＬＥＤランプを嵌め込む複数の通気孔を設置しその一端に前記ＬＥＤランプを直列に接続するように直列回路を設置することを特徴とする請求項１に記載のＬＥＤ照明ランプの改良構造。
【請求項７】
前記ＬＥＤランプの一側に電極板を設置し他側にダイオードを設置し、前記ダイオードの上端環に保護フレームを設置することを特徴とする請求項１に記載のＬＥＤ照明ランプの改良構造。
【請求項８】
前記メインランプ基台の螺接部下端と前記導電基台下端はそれぞれ接続孔を設置し、リードの一端をそれぞれ螺接部下端の前記接続孔と前記導電基台の前記接続孔から穿接し半田付け方法により前記導電基台を電気的に接続することを特徴とする請求項１に記載のＬＥＤ照明ランプの改良構造。
【請求項９】
前記メインランプ基台は前記ランプ制御装置を容易に取り外しメンテナンスするために取外し溝を設置することを特徴とする請求項１に記載のＬＥＤ照明ランプの改良構造。
【請求項１０】
ＬＥＤ照明ランプの改良構造であって、ランプ基台内部にランプ制御器を設置し、前記ランプ制御器の底面に上端接合ふたを固定し、上端接合ふたの底面に、内部にダクトが少なくとも１つあるうろこ状放熱板群と下端接合ふたを固定し、前記下端接合ふたの外周にトレーを内蔵したランプケースを螺接し、そしてトレー底面の外にダクトに対向する複数のＬＥＤランプ群を伸ばしたことを特徴とするＬＥＤ照明ランプの改良構造。
【考案の詳細な説明】
【技術分野】
【０００１】
本考案はＬＥＤ照明ランプの改良構造である。
【背景技術】
【０００２】
現在一般に販売されているＬＥＤランプは、発光時に使用するエネルギーが非常に小さいため、従来の白熱のランプに代わって、一般の装飾ランプ、営業或いは照明指示用の広告看板、或いは交通標識等に使用されるようになってきた。
【０００３】
しかし、市場で販売されているＬＥＤランプ１０は少ない電力で発光することができるものの、同時に高熱が生じるため、図１に示すように、必ずＬＥＤランプ１０の中央に保護ケース１１を追加して、ＬＥＤランプ１０を交換しやすくしている。また前記保護ケース１１は、使用者がＬＥＤランプ１０を交換する時に掴むことができるが、高熱を保護ケース１１内部に、密封してしまうため、放熱が不十分になってしまい、ＬＥＤランプ１０が損傷しやすくなり、寿命が短くなる。
【０００４】
よって、前記の従来のＬＥＤランプ１０は放熱効果が不十分であることを前提に、図２に示すように、ＬＥＤランプ２０を導熱板２２の一端に固定し、前記導熱板２２の他端に隙間を取って並べた各放熱フィン２１を固定して結合したものを開発した。また、使用する時、前記ＬＥＤランプ２０に発生する高熱は、導熱板２２を伝導して、ＬＥＤランプ２０が発光する時の熱量を吸収し、それから各放熱フィン２１に送って放熱させるが、各放熱フィン２１全てが熱量を受け取ることにより飽和状態となり、相互に焼けてしまい、却って熱量を除去しにくくなる。この方法は、実施後に以下の弊害が見られる。
１、ＬＥＤランプ構造の常用により発生する熱エネルギーのために、本体部空洞内の温度が急速に上昇し、前記使用と交換上の不具合以外に、危険も発生する。
２、ＬＥＤランプの常用により発生する熱エネルギーのために、放熱が不十分なＬＥＤランプの構造内において、ＬＥＤランプの寿命を短くさせ、メンテナンスコストが増加する。
【考案の開示】
【考案が解決しようとする課題】
【０００５】
本考案の目的は、ＬＥＤ照明ランプの提供であり、具体的に言えば、ＬＥＤ照明ランプの放熱構造に関連するものである。
【課題を解決するための手段】
【０００６】
従来のＬＥＤランプの高熱発生後に生じる放熱不十分の克服であり、複数個のダクトとうろこ状放熱板群を利用した冷熱交換を利用して、冷熱を分離させ、さらに効率的に熱量を散逸させることを本考案の主要目的とする。
【０００７】
前記目的を達成するために、本考案は以下の技術内容を採用した。ＬＥＤ照明ランプの改良構造であり、ランプ基台内部にランプ制御器を設置し、前記ランプ制御器の底面に上端接合ふたで固定し、上端接合ふたの底面に、内部にダクトが少なくとも１つあるうろこ状放熱板群と下端接合ふたを固定し、前記下端接合ふたの外周にトレーを内蔵したランプケースを螺接し、そしてトレー底面の外にダクトに対向する複数のＬＥＤランプ群を伸ばした。
【考案の効果】
【０００８】
本考案の効果は、ＬＥＤ照明ランプの改良構造であり、本体体積が小さく、照明効果に優れ、爆裂しにくいＬＥＤランプを発光の主体とし、前記ランプケース上部と底部をつなぐ空間の直線位置に数個のうろこ状放熱板があり、ＬＥＤランプの作動期間中の必要により、うろこ状放熱板を利用する時に、ランプケースを保護するだけでなく、放熱効果も増大させた。
【考案を実施するための最良の形態】
【０００９】
図３、図４、図６及び図７に示すとおり、本考案のＬＥＤ照明ランプの改良構造は、少なくともランプ基台３０、ランプ制御装置４０、上端接合ふた５０、うろこ状放熱板群６０、複数のダクト７０、下端接合ふた８０、複数のＬＥＤランプ群９０を含む。
【００１０】
前記ランプ基台３０には、メインランプ基台３１、導電基台３２と複数のリード３３（図６）を含み、前記メインランプ基台３１には収納スペース３１０を設け、ランプ制御装置４０及び上端接合ふた５０が固定できるようにした。メインランプ基台３１の下端周囲には複数の固定孔３１１及び複数の取外し溝３１２を設け、メインランプ基台３１の上端付近の螺接部３１３の外縁に複数の通気孔３１４を設け、前記螺接部３１３の下端に接続孔３１５を設けた。また前記導電基台３２内にナットスレッド３２１を設け、前記ナットスレッド３２１により、メインランプ基台３１の上端の螺接部３１３を螺接し、前記ナットスレッド３２１の下に螺接部３１３の下端の接続孔３１５に対向する接続孔３２２を設け、前記ナットスレッド３２１の上に電極３２３を設け、リード３３の一端を螺接部３１３の下端接続孔３１５と導電基台３２の接続孔３２２にそれぞれ通して伸ばし、半田付け方法により、導電基台３２に電気的に接続し、リード３３の他端を半田付け方法により、導電基台３２の上にある電極３２３に電気的に接続した。
【００１１】
前記ランプ制御装置４０は、メインランプ基台３１の収納スペース３１０内に固定し、半田付け方法により、２つのリード３３の他端と接続して、前記ランプ制御装置４０と導電基台３２を電気的に接続した。
【００１２】
上端接合ふた５０は、メインランプ基台３１の収納スペース３１０の下側に嵌め込み、ランプ制御装置４０の下に設けたもので、その上部は内凹室５１で、内凹室５１の中央にそれぞれ少なくとも１つ下が開いた凹穴５２及び複数の貫通孔５３を設け、上端部周囲には螺合孔５４がある。ピン等の係止部材５５によって、メインランプ基台３１の固定孔３１１と螺合孔５４を係止し上端接合ふた５０を固定した。
【００１３】
前記うろこ状放熱板群６０は複数のうろこ状放熱板６１を上部が狭く、下部が広くなるように組合せた放熱体であり、既設の上端接合ふた５０の貫通孔５３に対向する少なくとも１つの螺合孔６２（図６）を利用するもので、これによってねじ等の係止部材６３を上端接合ふた５０の底部に螺接して固定するもので、複数の螺合孔６２の間には複数の凹穴５２に対向する貫通孔６４を設け、各貫通孔６４の末端には嵌め込み孔６４１を設けた。さらに、前記複数のうろこ状放熱板６１の末端には尖部６１１を設け、これによって、うろこ状放熱板群６０の重量を軽減し、放熱スペースを増加して美観を保ち、また各うろこ状放熱板６１の相互間に隙間６１２を作って、熱量の放出に役立てる。また、うろこ状放熱板群６０の底部に収納スペース６５を下端接合ふた８０の嵌め込み用として設けた。
【００１４】
複数のダクト７０は、うろこ状放熱板群６０の末端の下端接合ふた８０の通気孔８２及びその中央の貫通孔６４を貫き、前記ダクト７０は少なくとも１本とし、図に示す実施例では３本に設定している。前記ダクト７０内部は実体状或いは中空状で、その一端は突起レバー７１で、上端接合ふた５０の凹穴５２を固定し、他端は銀鏡（ｓｉｌｖｅｒｅｄ  ｍｉｒｒｏｒ）反応があり、フォーカス性のある外部傾斜板７２として折曲げられ、前記外部傾斜板７２の底部はＬＥＤランプ群９０との固定に用いる。
【００１５】
前記下端接合ふた８０はうろこ状放熱板群６０の底部の収納スペース６５内に固定し、内部に内凹室８１があり、上端にはうろこ状放熱板群６０の貫通孔６４に対向する通気孔８２を設け、通気孔８２の中央下方に固定座８２１を設け、通気孔８２の間には螺合孔８２２を設け、これによりねじ等の係止部材８３を螺接して固定し、下端接合ふた８０をうろこ状放熱板群６０の底部に固定させる。また下端接合ふた８０の下端外周に外螺部８４を形成し、内側に複数の固定シリンダー８４１を設け、前記下端接合ふた８０を前記外螺部８４とランプケース８６の内螺部８６１を螺合する。また、ランプケース８６の外部は半透明とし、内部は平面鏡とし、光線を柔らかく、均一にする。その内部が中空状の収納室８６２があって、トレー８５が収納でき、前記トレー８５の最上部周囲に、下端接合ふた８０の内側の固定シリンダー８４１と対になる部分に複数の固定用欠部８５０を設け、端面付近の外縁に複数のダクト７０と対向する溝８５１を設け、各溝８５１の中央に下端接合ふた８０の固定座８２１と対向する貫通孔８５２を設け、ピン等の係止部材８５３の固定に利用する。
【００１６】
前記複数のＬＥＤランプ群９０は、複数のダクト７０の外部傾斜板７２底部に固定し、トレー８５底面から外に突起させて伸ばし、少なくとも熱伝導ブロック９１、ＬＥＤランプ９２及び基板９３を含み、その内前記熱伝導ブロック９１は外部傾斜板７２底部にぴったりと固定した。また、前記ＬＥＤランプ９２の一側に電極板９２１を設け、他側にダイオード９２２を設け、前記ダイオード９２２に保護フレーム９２３を設けた。前記基板９３は回路を持つプリント基板であるので、その上に貫通孔９３１を設け、ＬＥＤランプ９２を嵌め込むのに使用し、その一側に直列回路９３２を設け、ＬＥＤランプ９２を直列に接続するのに使用して、輝度を増加させた。また前記基板９３に複数の貫通孔９３３を設けてあるのは、係止部材９３４を差し込んで、基板９３を熱伝導ブロック９１にロックするものである。前記熱伝導ブロック９１は厚さがあり、熱伝導性に優れる金属ブロックであり、熱伝導媒介として、ＬＥＤランプ９２の電極板９２１の一側にぴったりと着接し、ＬＥＤランプ９２が発する熱量を散逸させる。また前記熱伝導ブロック９１には複数の螺合孔９１１を設け、係止部材９３４を用いて熱伝導ブロック９１と基板９３を結合させるのに用いる。
【００１７】
図４乃至図６に示すように、本考案は組み合わせる時、ランプ基台３０の内部にランプ制御装置４０を設け、前記ランプ制御装置４０の底面は上端接合ふた５０で固定し、上端接合ふた５０の底面に内部に少なくとも１つのダクト７０を嵌め込んだうろこ状放熱板群６０及び下端接合ふた８０を設け、前記トレー８５の底面から複数のダクト７０に対向する複数のＬＥＤランプ群９０を伸ばし、下端接合ふた８０の外周にトレー８５を内蔵したランプケース８６を螺接した。前記の構造のように、複数のダクト７０の他端の外部傾斜板７２の底部に設置したＬＥＤランプ群９０が発光する時に発生する高熱については、図６に示すとおり、複数のダクト７０とうろこ状放熱板群６０の冷熱交換を通して、冷熱を分離させ、高熱を複数のダクト７０に伝えて、うろこ状放熱板群６０の各放熱板６１に分散させて放熱させ、さらに効率的に熱量を放出させることができる。
【図面の簡単な説明】
【００１８】
【図１】従来のＬＥＤランプの立体図である。
【図２】他の従来の常用ＬＥＤランプの立体図である。
【図３】本考案に係るＬＥＤ照明ランプの立体分解図である。
【図４】本考案に係るＬＥＤ照明ランプの外観立体図である。
【図５】本考案に係るＬＥＤ照明ランプの底面図である。
【図６】図５のＡ−Ａ位置における断面図及び放熱概要図である。
【図７】本考案に係るＬＥＤ照明ランプの上端接合ふたの立体図である。
【符号の説明】
【００１９】
１０    ＬＥＤランプ
１１    保護ケース
２０    ＬＥＤランプ
２１    放熱フィン
２２    伝導板
３０    ランプ基台
３１    メインランプ基台
３２    導電基台
３３    リード
４０    ランプ制御装置
５０    上端接合ふた
５１    内凹室
５２    凹穴
５３    貫通孔
５４    螺合孔
５５    係止部材
６０    うろこ状放熱板群
６１    うろこ状放熱板
６２    螺合孔
６３    係止部材
６４    貫通孔
６５    収納スペース
７０    ダクト
７１    突起レバー
７２    外部傾斜板
８０    下端接合ふた
８１    内凹室
８２    通気孔
８３    係止部材
８４    外螺部
８５    トレー
８６    ランプケース
９０    ＬＥＤランプ群
９１    熱伝導ブロック
９２    ＬＥＤランプ
３１０  収納スペース
３１１  固定孔
３１２  取外し溝
３１３  螺接部
３１４  通気孔
３１５  接続孔
３２１  ナットスレッド
３２２  接続孔
３２３  電極
６１１  尖部
６１２  隙間
６４１  嵌め込み穴
８２１  固定座
８２２  螺合孔
８４１  固定シリンダー
８５０  固定用欠部
８５１  溝
８５２  貫通孔
８５３  係止部材
８６１  内螺部
８６２  収納室
９１１  螺合孔
９２１  電極板
９２２  ダイオード
９２３  保護フレーム
９３１  貫通孔
９３２  直列回路
９３３  貫通孔
９３４  係止部材
【図１】
0003148089.tif 000003
【図２】
0003148089.tif 000004
【図３】
0003148089.tif 000005
【図４】
0003148089.tif 000006
【図５】
0003148089.tif 000007
【図６】
0003148089.tif 000008
【図７】
0003148089.tif 000009